(57)【要約】【課題】トラクタに配置する際の制約が少なく、見栄えの良い容器補助台を実現する。【解決手段】ボンネット部Ｂの後部に燃料タンク４を内装して、燃料タンク４へ燃料を補給する給入口１６ａをボンネット部Ｂに備えてあるトラクタにおいて、燃料タンク４へ補給する燃料を入れた容器Ｔを載せる容器補助台３０を備え、容器補助台３０を、容器Ｔを載置する載置姿勢とボンネット部Ｂの側面に沿った格納姿勢とに姿勢変更自在に構成するとともに、格納姿勢での容器補助台３０の容器載せ面３０ａが機体内方側に向くように容器補助台３０を構成する。【選択図】図６
2008149767.tif 000002
【特許請求の範囲】
【請求項１】
機体の前部にボンネット部を備え、前記ボンネット部の後部に燃料タンクを内装して、前記燃料タンクへ燃料を補給する給入口を前記ボンネット部に備えてあるトラクタであって、
前記燃料タンクへ補給する燃料を入れた容器を載せる容器補助台を備え、前記容器補助台を、前記容器を載置する載置姿勢と前記ボンネット部の側面に沿った格納姿勢とに姿勢変更自在に構成するとともに、
前記格納姿勢での容器補助台の容器載せ面が機体内方側に向くように前記容器補助台を構成してあるトラクタ。
【請求項２】
前記ボンネット部の下部に設けられた下部ボンネットに開口を形成し、前記格納姿勢での容器補助台が前記下部ボンネットの開口に収容されるように、前記容器補助台を構成してある請求項１記載のトラクタ。
【発明の詳細な説明】
【技術分野】
【０００１】
本発明は、燃料タンクへ補給する燃料を入れた容器を載せる容器補助台を備えたトラクタに関する。
【背景技術】
【０００２】
従来の技術しては、例えば特許文献１に開示されているように、補助台（特許文献１の図４の２０）を、容器を載置する使用姿勢（特許文献１の図４（イ）の姿勢）と、上端部の軸心（特許文献１の図４のＹ）周りに下方へ倒して載置面（特許文献１の図４（イ）の２０ａ）が機体外方側を向いた非使用姿勢（特許文献１の図４（ロ）の姿勢）と、に姿勢変更自在に構成されたトラクタが知られている。
【０００３】
【特許文献１】特開２００５−３３５６５０号公報（図２、図３及び図４参照）
【発明の開示】
【発明が解決しようとする課題】
【０００４】
しかし、上記のように姿勢変更自在に構成すると、使用姿勢又は非使用姿勢から非使用姿勢又は使用姿勢に姿勢変更するのに伴って、補助台の下端部の位置が上下に移動する。そのため、姿勢変更する際に補助台が移動する位置における補助台の下方の機器を避けるように補助台を構成及び配置する必要があった。具体的には、例えば前輪（特許文献１の図２の１）を避けるために、補助台に前方下側部分（特許文献１の図３の２０ｇ）を設ける必要があり、前輪等を避けて補助台を配置する必要があった。その結果、補助台をトラクタに配置する際の制約が多くなっていた。
【０００５】
また、非使用姿勢での補助台の載置面が機体外方側を向くように補助台を構成すると、容器を載置することによって傷ついた載置面が容器補助台の外側から見えて、トラクタの見栄えが悪くなるといった問題や、容器を載置することによって傷ついた載置面が風雨等によって錆び付き易くなって、トラクタの見栄えが悪くなるといった問題があった。
本発明は、トラクタに配置する際の制約が少なく、見栄えの良い容器補助台を実現することを目的とする。
【課題を解決するための手段】
【０００６】
［Ｉ］
（構成）
本発明の第１特徴は、機体の前部にボンネット部を備え、前記ボンネット部の後部に燃料タンクを内装して、前記燃料タンクへ燃料を補給する給入口を前記ボンネット部に備えてあるトラクタにおいて、次のように構成することにある。
前記燃料タンクへ補給する燃料を入れた容器を載せる容器補助台を備え、前記容器補助台を、前記容器を載置する載置姿勢と前記ボンネット部の側面に沿った格納姿勢とに姿勢変更自在に構成するとともに、
前記格納姿勢での容器補助台の容器載せ面が機体内方側に向くように前記容器補助台を構成する。
【０００７】
（作用）
本発明の第１特徴によると、容器を載置する載置姿勢から容器補助台の外側部を上方に移動させて、容器補助台をボンネット部の側面に沿った格納姿勢に姿勢変更自在に構成しており、格納姿勢での容器補助台の容器載せ面が機体内方側に向くように容器補助台を構成することにより、容器補助台の内側部の位置が移動することなく、格納姿勢又は載置姿勢から載置姿勢又は格納姿勢に姿勢変更することができる。その結果、容器補助台の下方に位置する機器を気にすることなく容器補助台を構成及び配置できる。
【０００８】
本発明の第１特徴によると、格納姿勢での容器補助台の容器載せ面が機体内方側に向くように前記容器補助台を構成することにより、格納姿勢での容器補助台の容器載せ面が容器補助台の外側から見え難くなるとともに、容器を載置することによって傷ついた容器載せ面が風雨等によって錆び付き難くなる。
【０００９】
（発明の効果）
本発明の第１特徴によると、容器補助台の下方に位置する機器を気にすることなく容器補助台を構成及び配置できるため、容器補助台をトラクタに配置する際の制約が少なくなって、トラクタの設計作業や組立作業の作業性を向上させることができる。
【００１０】
本発明の第１特徴によると、格納姿勢での容器補助台の容器載せ面が、容器補助台の外側から見え難くなるとともに、容器を載置することによって傷ついた容器載せ面が風雨等によって錆び付き難くなるため、トラクタの見栄えを良くすることができる。
【００１１】
［ＩＩ］
（構成）
本発明の第２特徴は、本発明の第１特徴のトラクタにおいて、次のように構成することにある。
前記ボンネット部の下部に設けられた下部ボンネットに開口を形成し、前記格納姿勢での容器補助台が前記下部ボンネットの開口に収容されるように、前記容器補助台を構成する。
【００１２】
（作用）
本発明の第２特徴によると、本発明の第１特徴と同様に前項［Ｉ］に記載の「作用」を備えており、これに加えて以下のような「作用」を備えている。
本発明の第２特徴によると、格納姿勢での容器補助台を下部ボンネットの開口に収容することができ、格納姿勢での容器補助台が下部ボンネットの外面から外方側に大きく突出することを防止できる。その結果、容器補助台が走行や作業の妨げになることを防止できる。
【００１３】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、容器補助台が走行や作業の妨げになることを防止できるため、トラクタでの作業性を向上させることができるとともに、トラクタの見栄えを更に良くすることができる。
【発明を実施するための最良の形態】
【００１４】
〔トラクタの全体構成〕
図１及び図２に、本発明に係る容器補助台３０を備えたトラクタの全体側面図及び全体平面図をそれぞれ示す。図１及び図２に示すように、このトラクタは、ステアリング操作自在及び駆動自在に構成された前輪１と、左右一対の駆動自在な後輪２とを備えた四輪駆動仕様に構成されている。機体の前部には、エンジン３，燃料タンク４，エンジン冷却用のラジエータ５等を備え、機体の後部には、ステアリングハンドル６，運転ステップ７，運転座席８、転倒保護フレーム９等を備える。
【００１５】
エンジン３の下部から前方に前部フレーム１０が延出されており、この前部フレーム１０に前輪１を装着する車軸ケース１１等が支持されている。運転座席８の下方に位置するミッションケース１２は、クラッチハウジング１３を介してエンジン３に連結されている。クラッチハウジング１３の両側部からアーチ形の後部フレーム１４が上方に延出されており、この後部フレーム１４に操縦パネル１５、燃料タンク４等が固定されている。
【００１６】
機体の前部に配設されたエンジン３、燃料タンク４等は、その上部及び両側部がそれぞれボンネット１６及び下部ボンネット１７で覆われており、その前部がフロントバンパー１８及びフロントグリル１９で覆われている。このように、機体の前部のボンネット部Ｂは、ボンネット１６、下部ボンネット１７、フロントバンパー１８、フロントグリル１９等によって構成されている。
【００１７】
ボンネット１６は、その後端部の左右方向の軸心周りで、後部フレーム１４に回動自在に支持されており、このボンネット１６を上方に開放すると、エンジンルームの上部が開放されるように構成されている。下部ボンネット１７は、その前端部が前部フレーム１０に固定されたフロントバンパー１９に連結されており、その後端部が後部フレーム１４に固定された操縦パネル１５に連結されている。
【００１８】
ボンネット１６の内部に配設された燃料タンク４は、樹脂又は金属によって気密に成形されており、その上部に給入ノズル４ａが一体成形され、この給入ノズル４ａにキャップ４ｂがねじ込み着脱可能に取り付けられている。ボンネット１６の後部に円形の給入口１６ａが形成されており、この給入口１６ａを通って燃料タンク４の給入ノズル４ａがボンネット１６の上面側に突出するように、燃料タンク４が配置されている。以上のように燃料タンク４を配置することで、燃料タンク４のキャップ４ｂを給入ノズル４ａから取り外すことによって、ボンネット１６を開放せずにボンネット１６の上方から燃料の給油ができる。
【００１９】
機体右側の下部ボンネット１７の前後中央部には、後述する容器補助台３０を備え、この容器補助台３０に軽油等の燃料の入った容器の一例であるポリタンクＴ等を載置した状態で、作業者に負担を掛けずに燃料の給油ができるように構成されている。
【００２０】
〔容器補助台の詳細構造〕
図３〜図６に基づいて本発明に係る容器補助台３０の詳細構造について説明する。図３〜図６に示すように、フレーム２２等を介して容器補助台３０が機体に揺動開閉自在に支持されている。
【００２１】
機体右側の下部ボンネット１７の前後中央部には、開口１７ａが形成されている。下部ボンネット１７に形成された開口１７ａは、側面視で横長の長方形状に形成されており、下部ボンネット１７の開口１７ａを形成した部分における端部に、機体内方側に折り曲げられた折り曲げ部１７ｂが成形されて、この折り曲げ部１７ｂによって開口１７ａを形成した部分における端部の強度を確保し、見栄えが良くなるように構成されている。
【００２２】
下部ボンネット１７の上端部は、縦断面形状がコ字状に形成されており、その上面側に、内側に向かって延出されたフレーム固定部１７ｃが形成されている。フレーム固定部１７ｃには、後述するフレーム２２を固定するための内方側に開口した長穴が前後２箇所に形成されている。
【００２３】
右側の前部フレーム１０後端部の外面には、縦断面形状がＬ字状の取付板２１が前後２箇所に固着されており、この取付板２１に上下に貫通する取付穴が形成されている。
【００２４】
フレーム２２は、丸パイプの下端部を湾曲した形状に成形されており、フレーム２２の上端部には、先端部にネジ加工が施され上方に突出した取付ピン２３が、フレーム２２の下端部には、下方に突出した取付ピン２４がそれぞれ固着されている。フレーム２２の下部には、横断面形状がＬ字状の補助台取付金具２５が固着されており、この補助台取付金具２５の外方側の端部に後述する容器補助台３０を連結するための前後向きの補助台取付穴が形成されている。
【００２５】
フレーム２２の上部には、横断面形状がＬ字状の開閉バンド取付金具２６が固着されており、この開閉バンド取付金具２６に後述する開閉バンド３７を取り付けるための前後向きのバンド取付穴が形成されている。開閉バンド取付金具２６には、クッションゴム２７が固定されており、このクッションゴム２７の外面側が後述する容器補助台３０の容器載せ面３０ａと接当することで、格納姿勢での容器補助台３０がエンジン３等の振動によって振動して騒音が発生することを防止できる。
【００２６】
以上のように構成することで、フレーム２２の下端部に設けた取付ピン２４を、防振ゴム２８を介して前部フレーム１０の外面に固着した取付板２１の取付穴に内嵌挿入した状態で、フレーム２２上端部に設けた取付ピン２３を、防振ゴム２９を介して下部ボンネット１７上端部のフレーム固定部１７ｃに形成した長穴に内方側から差し込んで、上方からナットをねじ込むことで、フレーム２２を下部ボンネット１７の上端部と前部フレーム１０とに亘って固定できる。このように、防振ゴム２８，２９を介してフレーム２２を取り付けることにより、エンジン３等の振動が容器補助台３０及びフレーム２２に伝達されて騒音が発生することを防止できる。
【００２７】
容器補助台３０を支持するフレーム２２を、上下及び前後方向の強度が比較的確保されている下部ボンネット１７の上端部と前部フレーム１０とに亘って設けることにより、容器補助台３０に燃料が入ったポリタンクＴを載置しても破損し難い容器補助台３０の取付構造を実現できる。特に、燃料が多量に入ったポリタンクＴを載置する場合には、容器補助台３０及び開閉バンド３７を介してフレーム２２に大きな曲げモーメントが作用し易い。そのため、上記のようなフレーム２２の取付構造を採用することにより、フレーム２２の破損を防止できるだけでなく、フレーム２２を取り付ける取付板２１及び下部ボンネット１７のフレーム固定部１７ｃ等の破損も防止できる。
【００２８】
図３及び図４に示すように、容器補助台３０は、ポリタンクＴの形状に合わせた横長の箱形に成形されており、ポリタンクＴを載置する載置姿勢と、上方に揺動させて下部ボンネット１７の側面に沿った格納姿勢とに姿勢変更自在に構成されている。
【００２９】
容器補助台３０は、補助台本体３１、化粧カバー３２、操作ハンドル３８、ロック金具３９等を備えて構成されている。容器補助台３０を構成する補助台本体３１は、板金製で箱形に成形されており、載置姿勢における上面側には、容器補助台３０を軽量化するための開口３１ａが形成されている。
【００３０】
補助台本体３１の載置姿勢における内方側の端部には、前後向きの取付穴が形成されたブラケット３３が固着されており、このブラケット３３を、ピン３４を介してフレーム２２に固着した補助台取付金具２５に連結することで、容器補助台３０を上下揺動可能に支持することができる。
【００３１】
載置姿勢における補助台本体３１の外方側の端部上面には、斜め外方側に向って折り曲げ成形されたストッパ板３５が前後２箇所に固着されており、容器補助台３０にポリタンクＴを載置する際に、このストッパ板３５によってポリタンクＴを載置する位置に案内することができ、燃料の補給中等にポリタンクＴが容器補助台３０から落下することを防止できる。
【００３２】
載置姿勢における補助台本体３１の前端部及び後端部の上面側には、バンド取付板３６が固着されており、このバンド取付板３６と開閉バンド取付金具２６とに亘って開閉バンド３７が取り付けられている。開閉バンド３７は、ナイロン製の織物によってポリタンクＴの重量に耐え得る強度に構成されており、載置姿勢又は格納姿勢から格納姿勢又は載置姿勢に姿勢変更する際に、容器補助台３０の前後に位置する下部ボンネット１７と容器補助台３０との間に開閉バンド３７が挟まり難いように、前側の開閉バンド３７の長手方向での中央部が後方に、後側の開閉バンド３７の長手方向での中央部が前方にそれぞれ折り曲げられた折り目が形成されている。このように構成することで、容器補助台３０の操作性を向上させることができる。
【００３３】
図５及び図６に示すように、補助台本体３１の格納姿勢における外面側は、下部ボンネット１７と同一色に塗装された化粧カバー３２で覆われており、容器補助台３０を格納姿勢に姿勢変更すると、下部ボンネット１７の外面と化粧カバー３２の外面が面一になるように構成されている。このように構成することで、容器補助台３０を構成する化粧カバー３２が、容器補助台３０の格納姿勢において下部ボンネット１７の外方側の突出しないため、トラクタの見栄えが良くなるとともに、容器補助台３０が走行や作業の妨げになることを防止でき、容器補助台３０の損傷を防止できる。
【００３４】
化粧カバー３２は、下部ボンネット１７と同じ材質で箱状に成形されており、補助台本体３１の外周面に固定されている。化粧カバー３２の載置姿勢における外方側の端部には、板バネ状のロック金具３９が固定されており、載置姿勢から容器補助台３０の化粧カバー３２を上方へ引き上げて内方側へ容器補助台３０を押すと、容器補助台３０の容器載せ面３０ａがクッションゴム２７に接当するとともに、ロック金具３９が下部ボンネット１７の係合穴１７ｄに係合して、容器補助台３０を格納姿勢に姿勢変更することができ、容器補助台３０を格納姿勢で安定して保持することができる。
【００３５】
また、化粧カバー３２の格納姿勢における上端部の外面側には操作ハンドル３８が固定されており、格納姿勢から操作ハンドル３８の操作部３８ａを外方側に引くと、ロック金具３９の下部ボンネット１７の係合穴１７ｄへの係合が解除されて、容器補助台３０を載置姿勢に姿勢変更することができる。
【００３６】
以上のように、容器補助台３０を構成することにより、図１及び図５に示す容器補助台３０の格納姿勢から操作ハンドル３８の操作部３８ａを外方側に引くと、容器補助台３０がその自重によって外方側へ揺動し、前後の開閉バンド３７によって容器載せ面３０ａが略水平になった位置でその揺動が停止し、簡易迅速に容器補助台３０を載置姿勢に姿勢変更することができ、容器補助台３０の容器載せ面３０ａにポリタンクＴを載せて燃料タンク４への燃料の給油を行うことができる。
【００３７】
逆に、図３及び図６に示す容器補助台３０の載置姿勢から、容器補助台３０の化粧カバー３２を上方へ引き上げて内方側へ押すと、容器載せ面３０ａが内方側に向いて略垂直になった位置で、容器補助台３０がロック金具３９によって格納姿勢に保持されて、簡易迅速に容器補助台３０を格納姿勢に姿勢変更することができる。
【００３８】
以上のように、容器補助台３０の容器載せ面３０ａが格納姿勢で内方側を向くように構成することにより、ポリタンクＴを容器補助台３０に載せることによって容器載せ面３０ａに傷等がついた場合でも、容器補助台３０の格納姿勢において、容器載せ面３０ａの傷等が隠れるため、トラクタの見栄えを良くすることができる。また、傷等がついた容器載せ面３０ａが風雨等に曝されることが少なくなるため、容器補助台３０の錆び付きを防止することができる。
【００３９】
［発明の実施の第１別形態］
前述の［発明を実施するための最良の形態］においては、下部ボンネット１７に容器補助台３０を設けた例を示したが、ボンネット部Ｂの構造が異なるトラクタにおいては、ボンネット部Ｂを構成する異なる部品に容器補助台３０を設ける構成を採用してもよい。また、機体右側の下部ボンネット１７の前後中央部に、開口１７ａを形成して容器補助台３０を設けた例を示したが、機体の左側に容器補助台３０を設ける構成を採用してもよく、下部ボンネット１７の前部又は後部に開口１７ａを形成して容器補助台３０を設ける構成を採用してもよい。
【００４０】
前述の［発明を実施するための最良の形態］においては、容器補助台３０を支持するフレーム２２を前部フレーム１０と下部ボンネット１７のフレーム取付部１７ｃとに亘って設けた例を示したが、フレーム２２を固定する部材は異なる部材であってもよく、例えばミッションケース１２、クラッチハウジング１３、後部フレーム１４等に容器補助台３０を支持するフレーム２２を固定する構成を採用してもよい。
【００４１】
前述の［発明を実施するための最良の形態］においては、下部ボンネット１７に開口１７ａを形成し、補助台本体３１に化粧カバー３２を取り付けて容器補助台３０を構成した例を示したが、下部ボンネット１７の外側に別途容器補助台３０を設ける構成を採用してもよい。
【００４２】
［発明の実施の第２別形態］
前述の［発明を実施するための最良の形態］及び［発明の実施の第１別形態］においては、補助台本体３１と化粧カバー３２とを備えて容器補助台３０を構成した例を示したが、補助台本体３１と化粧カバー３２とを一体成形した容器補助台３０を採用してもよい。
【００４３】
前述の［発明を実施するための最良の形態］及び［発明の実施の第１別形態］においては、容器補助台３０を補助台取付金具２５の補助台取付穴の軸心周りに揺動自在に支持し、容器補助台３０を姿勢変更自在に構成した例を示したが、容器補助台３０を姿勢変更させる機構は異なる機構を採用してもよい。
【００４４】
前述の［発明を実施するための最良の形態］及び［発明の実施の第１別形態］においては、開閉バンド３７によって容器補助台３０を載置姿勢に保持した例を示したが、容器補助台３０を載置姿勢に保持する保持具として異なる構造を採用してもよく、例えば折りたたみ式のステー（図示せず）等によって容器補助台３０を載置姿勢に保持する構成を採用してもよい。
【図面の簡単な説明】
【００４５】
【図１】トラクタの全体右側面図
【図２】トラクタの全体平面図
【図３】載置姿勢における容器補助台付近の側面図
【図４】載置姿勢における容器補助台付近の平面図
【図５】格納姿勢における容器補助台付近の縦断正面図
【図６】載置姿勢における容器補助台付近の縦断正面図
【符号の説明】
【００４６】
４        燃料タンク
１６ａ    給入口
１７      下部ボンネット
１７ａ    開口
３０        容器補助台
３０ａ      容器載せ面
Ｂ          ボンネット部
Ｔ          ポリタンク（容器）
【図１】
2008149767.tif 000003
【図２】
2008149767.tif 000004
【図３】
2008149767.tif 000005
【図４】
2008149767.tif 000006
【図５】
2008149767.tif 000007
【図６】
2008149767.tif 000008